(57)【要約】【課題】温風ダクトの過熱に伴いこたつの掛ふとんの焦げつきや高温の温風ダクトが床敷きカーペットに直置きされることで生じるカーペットの変色や焦げつきを防止する温風ダクトガードを提供する。【解決手段】温風ダクト１０が中空な四角柱状体の温風ダクトガード本体１に挿入され、こたつの掛ふとん１４の端部からこたつ１３内に差し入れられる。一方、温風ダクト１０の温風流入口１１側は蛇腹状本体を一部屈曲させて、温風ダクト先端部を高さ調整板７の温風ダクト担持穴８に挿通され、高さ調整板７を適宜回転して温風流入口１１の高さを調整する。【選択図】図９
0003211390.tif 000002
【実用新案登録請求の範囲】
【請求項１】
温風ダクトガード本体と高さ調整板によって構成されるものであり、上記温風ダクトガード本体は上面板、一対の側面板及び底面板から成る中空な四角柱状体で、当該上面板及び両側面板には複数の開口孔が切削されているものであり、一方、上記高さ調整板は長方形の板状部の四方の端縁から直角に起立して支持板が周設されたもので、上記長方形の板状部には上記各支持板から、それぞれ異なる長さ離間した位置に円形の温風ダクト担持穴が設けられているものであることを特徴とする、温風ダクトカード。
【考案の詳細な説明】
【技術分野】
【０００１】
本考案は、ストーブの温風をこたつに引き込むための温風ダクトを保護する温風ダクトガードであり、詳しくは、温風ダクトの破損を防止すると共に温風ダクトの過熱に伴いこたつの掛ふとんの焦げつきや高温の温風ダクトが床敷きカーペットに直置きされることで生じるカーペットの変色や焦げつきを防止することができる、温風ダクトガードに係るものである。
【背景技術】
【０００２】
従来、冬の暖房器具として電気こたつが用いられている。電気こたつは、テーブル状の骨組みの上にこたつの掛ふとんを掛け、その上にこたつ板を載置する一方、上記骨組みの上部中央の裏面に赤外線ヒーター等の発熱部を備えたものである。これに対して、部屋全体を温めるために、石油ファンヒーターなどの暖房器具が用いられている。
【０００３】
近年、一般家庭においても省エネに対する取り組みが普及する一方、電気料金や灯油代などの値上がりに伴い、複数の暖房手段によるエネルギーの無駄使いを削減し、電気こたつにおける内部ヒーターの使用を止め、石油ファンヒーターなどの温風吹き出し口から送風される温風を電気こたつに導入する温風ダクトが普及するようになった。ここで、市販されている温風ダクトの本体はアルミニウム製で蛇腹状の円筒体を成し、直径１０ｃｍ、長さ８０ｃｍから９６ｃｍで、上記石油ファンヒーターの温風吹き出し口よりやや離間して温風ダクトの温風流入口を位置させる一方、蛇腹本体を引き延ばして温風ダクトの温風導入口をこたつの掛ふとんの端部より電気こたつ内に差し入れて用いるものである。また、温風ダクトの温風流入口側にはスタンドが具設されており温風ダクトの転がりを防止している。更に、上記温風吹き出し口に対する温風ダクトの温風流入口の位置合わせは、上記スタンドから立ち上がった温風ダクト本体端部を適宜曲げ伸ばして行うものである。
【０００４】
次に、平成１４年９月６日付け、国民生活センターの公表による「暖房器具の安全性等」に関する報告書に、石油ファンヒーター、ガスファンヒーター、ＦＦ式石油暖房機、温水ルームヒーターの温風吹き出し口の最高温度を調べたテスト結果が記載されている。これによれば、石油ファンヒーター  約１５０°、ガスファンヒーター  約１１０°、ＦＦ式石油暖房機  約１２０°、温水ルームヒーター  約７０°とされている。このように、温水ルームヒーターを除く上記暖房器具の温風吹き出し口の温度は、いずれも１００°以上と非常に高温であり、温風ダクトの使用上の注意として、使用時にはヒーターの温風吹き出し口から１０ｃｍ以上離して使用することが表示されている。しかしながら、実際の一般的な使用状態を観察すると、ヒーターの温風吹き出し口に極力温風ダクトの温風流入口を近づけて使用している場合が多く見受けられ、このような温風ダクトの使用状態が長時間継続されることによって、こたつの掛ふとんの焦げつきや高温の温風ダクトが触れる床敷カーペットや絨毯などの変色や焦げつきという支障を生じさせている。
【０００５】
一方、上記温風ダクトは本体がアルミニウム製の蛇腹状円筒体で、石油ファンヒーターとこたつ間の床や畳の上に載置されるものであるが、手狭な部屋ではこたつの掛ふとんが温風ダクトに覆い被さり存在が分かりにくく、洗濯物などを手に持って移動する際に誤って踏みつけて潰してしまうこと、更には温風ダクトの破損に伴って思わぬケガをするなどの支障もあった。ここで、当該課題を解決するために案出されたものとして実用新案登録第３１４０２８４号に係る考案が見受けられる。この際、当該考案の構成は、温風供給ダクトの温風流入側からこたつまでの間を囲んで被せるように、格子状に形成した側枠と上面枠を組み立てて、底面を開口したボックス状に形成され、温風供給ダクトの保護と物干しを兼ねたことを要旨とするものであった。
【先行技術文献】
【特許文献】
【０００６】
【特許文献１】実用新案登録第３１４０２８４号公報
【考案の概要】
【考案が解決しようとする課題】
【０００７】
上記実用新案登録第３１４０２８４号に係る考案においては、格子状に形成した側枠と上面枠を組み立てて、底面を開口したボックス状に形成されていることから、高温の熱風を挿通する温風ダクトが直接床面となる床敷カーペットや絨毯等と接するものであり、長期間の使用に供した結果、これらの変色や焦げつきを防止することはできないという課題がある。更に、当該考案における温風供給ダクトガードは、石油ファンヒーターなどの温風吹き出し口近くに温風流入口を向け、温風供給ダクトの温風流入側からこたつまでの間を囲んで被せるように設置するものであるから、同考案に係る公報掲載の図１に示されているように、温風供給ダクトの温風送出側のダクト本体端部には温風供給ダクトカードの保護域が至らず、温風供給ダクトが直接こたつの中に挿入されている。これによって、高温となっている温風供給ダクトとこたつの掛ふとんの端部が直接接触している形態であることから、こたつの掛ふとんに対しても変色更には焦げて支障するという課題がある。
本考案者は、上記従来技術の課題である温風ダクトの過熱に伴いこたつの掛ふとんの焦げつきや高温の温風ダクトが床敷きカーペットに直置きされることで生じるカーペットの変色や焦げつきを防止すると共に、石油ファンヒーター等の温風吹き出し口から供給される温風を効率良く集風し且つ安全にこたつに温風を導入することができる温風ダクトガードを提供することを目的とする。
【課題を解決するための手段】
【０００８】
上記目的を達成するため、本考案に係る温風ダクトガードは、温風ダクトガード本体と高さ調整板によって構成されるものであり、上記温風ダクトガード本体は上面板、一対の側面板及び底面板から成る中空な四角柱状体で、当該上面板及び両側面板には複数の開口孔が切削されているものであり、一方、上記高さ調整板は長方形の板状部の四方の端縁から直角に起立して支持板が周設されたもので、上記長方形の板状部には上記各支持板から、それぞれ異なる長さ離間した位置に円形の温風ダクト担持穴が設けられているものであることを要旨とする。
【考案の効果】
【０００９】
本考案に係る温風ダクトガードは、温風ダクトガード本体と高さ調整板から構成されるものであるが、石油ファンヒーターにおける温風吹き出し口の床面からの高さ位置が変化した場合であっても、上記高さ調整板を適宜回転することによって温風ダクトの温風流入口を適切なポジションに設定することができるという効果がある。
【００１０】
続いて、本考案に係る高さ調整板においては、当該高さ調整板の端縁から直角に起立して支持板が周設されていることから、高さ調整板の自立を安定維持できると共に、温風吹き出し口から吹き出される温風を効率良く集風することができるという効果もある。
【００１１】
また、高温となる温風ダクトが本考案に係る温風ダクトガード本体内に挿入されるものであるので、当該温風ダクトがこたつの掛布団、床敷カーペット、絨毯等と直接接触することがないので、長時間の使用によっても変色や焦げ付きを生じることがないという効果もある。
【００１２】
さらに、アルミニウム製の温風ダクトは変形し易いものであるが、前述のように温風ダクトガード本体内に挿入されるものであるから、誤って踏みつけても温風ダクトを潰してしまうことはないという効果もある。
【００１３】
続いてまた、本考案に係る温風ダクトガード本体の上面板及び側面板には、開口孔が複数切削して設けられているので、温風ダクトガード本体内部の過熱を防止して熱を外部に放出させ、当該開口孔にハンカチ等の軽衣料を載置することによって、上記軽衣料の乾燥に利用することができるという効果もある。
【００１４】
従来、温風ダクトは冬季間のみの使用に限定されるものであると共に収納についても非常に嵩張るものであるが、高さ調整板を床側に倒し、温風ダクトガード本体内に温風ダクトを収納した状態で起立させ部屋の片隅などに配置すると、一つの装飾品として違和感なく通年使用することができるという効果もある。
【考案を実施するための最良の形態】
【００１５】
本考案に係る温風ダクトガード１８は、温風ダクトガード本体１と高さ調整板７によって構成されるものであるが、高温となる温風ダクト１０を温風ダクトガード本体１で内包することによって、温風ダクト１０がこたつの掛ふとん１４、床敷カーペットや絨毯などに直接接触しないようにした。更に、長方形の板状部の四方の端縁から直角に起立して支持板９が周設された高さ調整板７において、上記長方形の板状部には上記各支持板９から、それぞれ異なる長さ離間した位置に円形の温風ダクト担持穴８を設け、当該温風ダクト担持穴８に温風ダクト１０の温風流入口１１側の一方端部が挿入するようにし、高さ調整板７を適宜回転させることにより石油ファンヒーター１６の温風吹き出し口に対向する温風ダクト１０の温風流入口１１を適切なポジションに設定することができるようにしたことが最大の特徴である。なお、本実施例に示される温風ダクトガードの全体形状および各部の形状は、下記に述べる実施例に限定されるものではなく、本考案の技術的思想の範囲内、即ち、同一の作用効果を発揮できる形状および寸法の範囲内で変更することができることは言うまでもない。
【実施例１】
【００１６】
先ず、図１は本考案に係る温風ダクトガード本体の平面図、図２は本考案に係る温風ダクトガード本体の左側面図、図３は本考案に係る温風ダクトガード本体の底面図である。ここで、本考案に係る温風ダクトガード本体１は、上面板２、一対の側面板４、及び底面板５から成る中空な四角柱状体であり、上面板２及び図示しないながらも側面板４には複数の開口孔３が切削されている。なお、図３に示すように底面板５には開口孔は切削されていない。
【００１７】
次に、図４は本考案に係る高さ調整板の正面図、図５は本考案に係る高さ調整板のＡ−Ａ断面図である。図示のように、高さ調整板７は長方形の板状部の四方の端縁から直角に起立して支持板９が周設されたもので、上記長方形の板状部には上記支持板９から、それぞれ異なるａ、ｂ、ｃ、ｄの長さ離間した位置に円形の温風ダクト担持穴８が設けられている。ここで、上記温風ダクト担持穴８には後述する温風ダクトの温風流入口側の一方端部が挿入され、上記高さ調整板７によって担持されるものである。
【００１８】
更にまた、図６は図４の高さ調整板を時計方向に９０°回転した際の正面図であり、図示のように温風ダクト担持穴８の半径をｒとした際、図４での床面から温風ダクト担持穴８の中心点までの高さがｒ＋ｃであったのに対して、図６の態様においてはｒ＋ｄとなる。更に、図７は図６の高さ調整板を時計方向に９０°回転した際の正面図であり、この態様での温風ダクト担持穴８の中心点までの高さはｒ＋ａとなる。続いてさらに、図８も図７の高さ調整板を時計方向に９０°回転した正面図で、この態様での温風ダクト担持穴８の中心点までの高さはｒ＋ｂである。以上のように、高さ調整板７におけるａ、ｂ、ｃ、ｄを異なる高さに設定することによって、温風吹き出し式の各種暖房機における温風吹き出し口の床面からの高さが異なる場合であっても、温風吹き出し口に対向する温風ダクトの温風流入口を適切なポジションに設定することができるのである。
【００１９】
そして、図９は本考案に係る温風ダクトガード本体と高さ調整板を組み合わせて配置した本考案に係る温風ダクトガードの実施態様を示す一部断面図である。図示のように、本考案に係る温風ダクトガード１８は、温風ダクトガード本体１と高さ調整板７によって構成されるものである。また、この実施態様に示されるように、温風ダクト１０は中空な四角柱状体の温風ダクトガード本体１に温風ダクト挿入口６から挿入させ、こたつの掛ふとん１４の端部からこたつ１３内に差し入れられている。一方、温風ダクト１０における温風流入口１１側は蛇腹状本体を一部屈曲させて、温風ダクト先端部を高さ調整板７の温風ダクト担持穴８に挿通され、石油ファンヒーター１６の温風吹き出し口１７に対向するように配置されている。ここで、温風ダクト１０の温風流入口１１が温風吹き出し口１７に対して適切なポジションとなるよう高さ調整板７を適宜回転して上記対向する高さを調整するものとする。更に、高さ調整板７の端縁から直角に起立して周設される支持板９は高さ調整板７を安定維持させると共に、温風吹き出し口から吹き出される温風を効率良く集風するものである。このように、温風ダクト１０が本考案に係る温風ダクトガード本体１内に挿入されることによって、温風ダクト１０がこたつの掛ふとん、床敷カーペット、絨毯等と直接接触することがないので、長時間の使用によっても変色や焦げ付きを生じることがない。更には、温風ダクトガード本体１を誤って踏みつけても温風ダクト１０を潰してしまうこともない。以上の形態において、石油ファンヒーター１６の温風吹き出し口１７から吹き出された温風は、温風ダクト１０の温風流入口１１からダクト内を通じ、温風送風口１２からこたつ１３内に導入されるものである。なお、温風ダクトガード本体１の上面板２及び側面板４に複数切削して設けられた開口孔３は、温風ダクトガード本体１内部の過熱を防止して熱を外部に放出させるものであり、ハンカチ等の軽衣料の乾燥に利用することもできる。
【００２０】
次に、図１０は本考案に係る温風ダクトガードの別の実施態様を示した一部断面図である。本考案に係る温風ダクトガードの使用時期は、冬季間に限定されるものであるが、それ以外の時期は押入れなどに収納されていることが普通であって、非常に嵩張り取り扱いが厄介なものとなってしまう。図示のように、高さ調整板７を床側に倒し、温風ダクトガード本体１内に温風ダクト１０を収納した状態で起立させ部屋の片隅などに配置すると、一つの装飾品として違和感がなく通年使用することができる。
【図面の簡単な説明】
【００２１】
【図１】本考案に係る温風ダクトガード本体の平面図。
【図２】本考案に係る温風ダクトガード本体の左側面図。
【図３】本考案に係る温風ダクトガード本体の底面図。
【図４】本考案に係る高さ調整板の正面図。
【図５】本考案に係る高さ調整板のＡ−Ａ断面図。
【図６】図４の高さ調整板を時計方向に９０°回転した際の正面図。
【図７】図６の高さ調整板を時計方向に９０°回転した際の正面図。
【図８】図７の高さ調整板を時計方向に９０°回転した際の正面図。
【図９】本考案に係る温風ダクトガード本体と高さ調整板を組み合わせて配置した本考案に係る温風ダクトガードの実施態様を示す一部断面図。
【図１０】本考案に係る温風ダクトガードの別の実施態様を示した一部断面図。
【符号の説明】
【００２２】
１  温風ダクトガード本体
２  上面板
３  開口孔
４  側面板
５  底面板
６  温風ダクト挿入口
７  高さ調整板
８  温風ダクト担持穴
９  支持板
１０  温風ダクト
１１  温風流入口
１２  温風送風口
１３  こたつ
１４  掛ふとん
１５  こたつ板
１６  石油ファンヒーター
１７  温風吹き出し口
１８  本考案に係る温風ダクトガード
【図１】
0003211390.tif 000003
【図２】
0003211390.tif 000004
【図３】
0003211390.tif 000005
【図４】
0003211390.tif 000006
【図５】
0003211390.tif 000007
【図６】
0003211390.tif 000008
【図７】
0003211390.tif 000009
【図８】
0003211390.tif 000010
【図９】
0003211390.tif 000011
【図１０】
0003211390.tif 000012